(57)【特許請求の範囲】
【請求項１】
電力線から電力の供給を受け、キーコードに基づいて電力の開閉を制御する開閉器を有する電力供給ゲート装置に脱着可能であり、サーバ装置との間で情報を送受信するモバイルコンセントであって、
着脱した電力供給ゲート装置から前記電力供給ゲート装置の識別情報を入手するための識別情報入手手段と、
前記識別情報入手手段に接続され、入手された電力供給ゲート装置の識別情報を前記サーバ装置に送信する識別情報送信手段と、
前記サーバ装置から、前記開閉器をＯＮにするために、前記電力供給ゲート装置の識別情報に対応するキーコードを受信するキーコード受信手段と、
前記キーコード受信手段に接続され、受信されたキーコードを前記電力供給ゲート装置に出力するキーコード出力手段とを含む、モバイルコンセント。
【請求項２】
さらに、前記電力供給ゲート装置に装着されたことを検出し、装着検出信号を出力する装着検出センサを含み、
前記識別情報入手手段は、前記装着検出センサに接続され、前記装着検査信号に応答して、前記電力供給ゲート装置の識別情報を入手する、請求項１に記載のモバイルコンセント。
【請求項３】
さらに、モバイルコンセントを識別するためのモバイルコンセントの識別情報を記憶するための記憶手段を含み、
前記識別情報送信手段は、前記記憶手段に記憶されたモバイルコンセントの識別情報を前記サーバ装置に送信する、請求項２に記載のモバイルコンセント。
【請求項４】
さらに、前記電力供給ゲート装置との接続が解除されたことを検出し、解除検出信号を出力する解除検出センサを含み、
前記識別情報送信手段は、前記解除検出センサに接続され、前記解除検出信号に応答して、利用終了通知信号を前記サーバ装置に送信する、請求項１〜３のいずれかに記載のモバイルコンセント。
【請求項５】
さらに、前記電力供給ゲート装置からキーコード要求信号を受信するキーコード要求信号受信手段と、
前記キーコード要求信号受信手段に接続され、前記キーコード要求信号の受信回数が所定回数に達したとき、モバイルコンセントが利用できないことを表示する表示部とを含む、請求項１〜４のいずれかに記載のモバイルコンセント。
【請求項６】
さらに、前記キーコード要求信号受信手段に接続され、前記キーコード要求信号の受信回数が所定回数に達したとき、モバイルコンセントが利用不可能であることを表す利用不可能信号を前記サーバ装置に送信するための利用不可能信号送信手段を含む、請求項１〜５のいずれかに記載のモバイルコンセント。
【請求項７】
さらに、給電量を測定するための給電量測定手段と、
前記給電量測定手段に接続され、前記給電量に関する情報を前記サーバ装置に送信するための給電量送信手段とを含む、請求項１〜６のいずれかに記載のモバイルコンセント。
【請求項８】
電力線からの電力を脱着可能なモバイルコンセントに供給する電力供給ゲート装置であって、
前記モバイルコンセントに電力を供給するか否かに応じて開閉する開閉器と、
装着されたモバイルコンセントと信号の入出力を行なうための入出力手段と、
前記開閉器および前記入出力手段に接続され、入手した前記開閉器をＯＮにするためのキーコードに基づいて、前記開閉器の開閉を制御するための制御手段と、
電力供袷ゲート装置を識別するための電力供給ゲート装置の識別情報、前記キーコード、および前記キーコードの送信を要求するキーコード要求信号を記憶するための識別情報記憶手段と、
前記モバイルコンセントが接続されているか否かを検出するための接続検出センサと、を含み、
前記制御手段は、
前記モバイルコンセントからの識別情報要求信号を受信したことに応じて、前記識別情報記憶手段より、前記電力供給ゲート装置の識別情報を読出し前記モバイルコンセントに出力し、
前記識別情報記憶手段に予め記憶されたキーコードと前記入出力手段により入手されたキーコードとが一致した場合に、前記開閉器をＯＮにし、前記モバイルコンセントに電力線からの電力を供給し、前記開閉器がＯＮされたことを伝える信号を前記モバイルコンセントに出力し、
前記識別情報記憶手段に予め記憶されたキーコードと前記入出力手段により入手されたキーコードとが不一致の場合に、再度のキーコードの送信を要求するために、前記識別情報記憶手段より、前記電力供給ゲート装置の識別情報および前記キーコード要求信号を読出し前記モバイルコンセントに出力し、
前記モバイルコンセントとの接続が解除された場合には、前記開閉器をＯＦＦにする、電力供給ゲート装置。
【請求項９】
電力供給ゲート装置に装着されたモバイルコンセントとの間で情報を送受信するサーバ装置であって、
前記電力供給ゲート装置は、電力線から電力が供給され、開閉器を有し、
電力供給ゲート装置の識別情報毎に、前記開閉器をＯＮにするためのキーコードを記憶するための第１記憶手段と、
前記モバイルコンセントから、電力供給ゲート装置を識別するための識別情報を受信するための受信手段と、
前記受信手段により受信された前記電力供給ゲート装置の識別情報に基づき、前記第１記憶手段に記憶されている前記キーコードを抽出するための抽出手段と、
前記抽出手段より抽出された前記キーコードを前記モバイルコンセントに送信するための送信手段とを含む、サーバ装置。
【請求項１０】
さらに、モバイルコンセントを識別するためのモバイルコンセントの識別情報毎に、給電料金を記憶するための第２記憶手段を含む、請求項９に記載のサーバ装置。
【請求項１１】
さらに、前記モバイルコンセントから電力給電量を受信し、前記電力給電量に基づいて給電料金を算出し、前記第２記憶手段に書込むための給電料金算出手段を含む、請求項１０に記載のサーバ装置。
【請求項１２】
さらに、前記給電料金算出手段に接続され、前記第２記憶手段に記憶された前記給電料金を前記モバイルコンセントに送信するための給電料金送信手段を含む、請求項１０に記載のサーバ装置。
【請求項１３】
前記第１記憶手段は、さらに、電力供給ゲート装置の設置場所の情報を記憶し、
さらに、前記電力供給ゲート装置の利用が不可能である場合には、モバイルコンセントが利用不可能であることを表す利用不可能信号をモバイルコンセントから受信するための利用不可能信号受信手段と、
前記第１記憶手段および前記利用不可能信号受信手段に接続され、前記利用不可能信号に応答して、前記第１記憶手段に故障情報を記憶するための手段とを含む、請求項９〜１２のいずれかに記載のサーバ装置。
【請求項１４】
さらに、電力供給ゲート装置の利用終了時に、モバイルコンセントより利用終了通知信号を受信する利用終了通知信号受信手段と、
前記利用終了通知信号受信手段に接続され、前記利用終了通知信号に応答して、前記第１記憶手段に、前記電力供給ゲート装置の利用回数を記憶するための手段とを含む、請求項９〜１３のいずれかに記載のサーバ装置。
【請求項１５】
さらに、電力供給ゲート装置の利用終了時に、モバイルコンセントより利用終了通知信号および電力給電量を受信するための利用終了通知信号受信手段と、
前記利用終了通知信号受信手段に接続され、前記電力給電量に基づいて給電料金を算出し、前記第２記憶手段に書込むための給電料金算出手段とを含む、請求項１０に記載のサーバ装置。
【請求項１６】
電力線から電力の供給を受け、キーコードに基づいて電力の供給を制御する電力供給ゲート装置と、
前記電力供給ゲート装置を識別するための識別情報に対応したキーコードを送信するサーバ装置と、
前記電力供給ゲート装置に着脱可能であり、前記電力供給ゲート装置から識別情報を受け、前記識別情報に対応したキーコードを前記サーバ装置より受け、前記キーコードを前記電力供給ゲート装置に与えるモバイルコンセントとを含む、電力利用管理システム。
【発明の詳細な説明】
【０００１】
【発明の属する技術分野】
本発明は、モバイルコンセント、電力供給ゲート装置、サーバ装置および電力利用管理システムに関し、特に、電力が供給されているところにはどこでも、ほとんどの家電製品に利用することができるモバイルコンセント、電力供給ゲート装置、サーバ装置および電力利用管理システムに関する。
【０００２】
【従来の技術】
登録実用新案公報第３０６１８３１号公報には、電力を供給販売するコインロッカーが開示されている。このロッカーを使用することにより、外出先で、パーソナルコンピュータ、電子手帳、ヘッドホンステレオおよび携帯電話機などのモバイル機器の充電を、盗難の恐れなく行なうことができる。
【０００３】
また、特開２０００−１２３２４６号公報には、ＡＣラインの引込みを必要とすることなく、外出先で簡単に携帯電話器の充電を行なうことができる携帯電話用受電電力自動販売機が開示されている。
【０００４】
その他にも、持ち運び可能なガソリン機関などを用いた携帯型発電機が知られている。
【０００５】
【発明が解決しようとする課題】
しかし、電力販売ロッカーの設置場所は、セキュリティ上の問題から、管理人がいる場所であって、かつ人通りが多い場所に限定される。このため、管理人の人件費が発生する。また、たとえばロッカーを管理している店鋪が閉店すればロッカーは利用できなくなるという問題がある。
【０００６】
また、電力販売ロッカーでは、ロッカーを閉じている状態でないと電力が供給されない。このことから、当設備を利用できる製品は充電できるものであり、かつ、ロッカーに入るものに限定される。このため、たとえば現在普及しつつある電気自動車の充電や、電気式アシスト自転車の充電には使用することができない。  また、ロッカーを閉じている状態でないと電力が供給されないことから、たとえばキャンプ場で、テレビや冷蔵庫などの充電することができない電器製品を利用することができない。
【０００７】
また、電力販売ロッカーおよび携帯電話用充電電力自動販売機は現金をもっていないと利用できないという問題点がある。
【０００８】
また、電力販売ロッカーおよび携帯電話用充電電力自動販売機は、設置場所として電力線の基幹線（柱上の電力線）から離れた位置にあることが多い。このため、これらの設備への電力引き込み線が長くなったり、途中に基幹線の分岐がある場合などに、これらの設備への大電力供給ができない。
【０００９】
ガソリン機関等を用いた携帯発電機では、長期間にわたるキャンプなどではガソリンスタンドなど燃料が給油できるところでないと利用できない。また、発電機や燃料は重く持ち運びが困難である。また、ガソリン等は発火の恐れがあり持ち運びが困難である。
【００１０】
さらに、ガソリン機関等を用いた携帯発電機は騒音や排気ガスの問題もある。また、現状では、今後普及が期待される電気自動車の電気が走行中になくなりかけた場合、簡単に電力が得られる場所が少ない。特に、現状の電気自動車はフル充電に一晩かかると言われており、時間をかけてフル充電しても走行距離が２００ｋｍ程度であり、ガソリン自動車やディーゼル自動車に比較して走行距離が極端に短い。走行距離を延ばすためにはバッテリを大型化する必要があるが、その場合には、充電に時間がかかる、車体の重量が大きくなる、車体の重量が大きくなることによりエネルギー効率が劣化する、コストアップにつながるなど問題点が多い。
【００１１】
また、従来の電力供給網（システム）では、電力供給源（発電所）での総利用電力がわかるのみであり、地域ごとまたは時間ごとの電力利用状況を調べることができなかった。そのため、利用量に応じた電力供給ラインを構築することが困難であり、受給バランスが悪く、電力の利用効率があげられないという問題点があった。
【００１２】
本発明は上述の課題を解決するためになされたもので、その目的は、配電を効率的に行なうことができるモバイルコンセント、電力供給ゲート装置、サーバ装置および電力利用管理システムを提供することである。
【００１３】
本発明の他の目的は、電力使用量を自動的に課金することができるモバイルコンセント、電力供給ゲート装置、サーバ装置および電力利用管理システムを提供することである。
【００１４】
本発明のさらに他の目的は、電力利用場所または電力利用時期毎に電力使用量をモニターし、配電を効率的に行なうことができるモバイルコンセント、電力供給ゲート装置、サーバ装置および電力利用管理システムを提供することである。
【００１５】
【課題を解決するための手段】
本発明のある局面に従うモバイルコンセントは、電力線から電力の供給を受け、キーコードに基づいて電力の開閉を制御する開閉器を有する電力供給ゲート装置に脱着可能であり、サーバ装置との間で情報を送受信する。モバイルコンセントは、着脱した電力供給ゲート装置から電力供給ゲート装置の識別情報を入手するための識別情報入手手段と、識別情報入手手段に接続され、入手された電力供給ゲート装置の識別情報をサーバ装置に送信する識別情報送信手段と、サーバ装置から、開閉器をＯＮにするために、電力供給ゲート装置の識別情報に対応するキーコードを受信するキーコード受信手段と、キーコード受信手段に接続され、受信されたキーコードを電力供給ゲート装置に出力するキーコード出力手段とを含む。
【００１６】
着脱した電力供給ゲート装置から電力供給ゲート装置の識別情報を入手し、識別情報と引き換えにサーバ装置からキーコードを受信する。そのキーコードを電力供給ゲート装置に送信することにより、電力の使用が可能となる。よって、外出先などであっても、モバイルコンセントを電力供給ゲート装置に装着することにより、簡単に電力の使用が可能となる。
【００１７】
好ましくは、モバイルコンセントは、さらに、電力供給ゲート装置に装着されたことを検出し、装着検出信号を出力する装着検出センサを含み、識別情報入手手段は、装着検出センサに接続され、装着検査信号に応答して、電力供給ゲート装置の識別情報を入手する。
【００１８】
電力供給ゲートに装着されたときに、電力供給ゲート装置の識別情報を入手する。
【００１９】
さらに好ましくは、モバイルコンセントは、さらに、モバイルコンセントを識別するためのモバイルコンセントの識別情報を記憶するための記憶手段を含み、識別情報送信手段は、記憶手段に記憶されたモバイルコンセントの識別情報をサーバ装置に送信する。
【００２０】
さらに好ましくは、モバイルコンセントは、さらに、電力供給ゲート装置との接続が解除されたことを検出し、解除検出信号を出力する解除検出センサを含み、識別情報送信手段は、解除検出センサに接続され、解除検出信号に応答して、利用終了通知信号をサーバ装置に送信する。
【００２１】
さらに好ましくは、モバイルコンセントは、さらに、電力供給ゲート装置からキーコード要求信号を受信するキーコード要求信号受信手段と、キーコード要求信号受信手段に接続され、キーコード要求信号の受信回数が所定回数に達したとき、モバイルコンセントが利用できないことを表示する表示部とを含む。
【００２２】
さらに好ましくは、モバイルコンセントは、さらに、キーコード要求信号受信手段に接続され、キーコード要求信号の受信回数が所定回数に達したとき、モバイルコンセントが利用不可能であることを表す利用不可能信号をサーバ装置に送信するための利用不可能信号送信手段を含む。
【００２３】
サーバ装置側では、モバイルコンセントが利用不可能であることを知ることができる。
【００２４】
さらに好ましくは、モバイルコンセントは、さらに、給電量を測定するための給電量測定手段と、給電量測定手段に接続され、給電量に関する情報をサーバ装置に送信するための給電量送信手段とを含む。
【００２５】
サーバ装置に給電量が送信される。このため、利用者は現金を持ち合わせていなくても電力を利用することができる。
【００２６】
本発明の他の局面に従う電力供給ゲート装置は、電力線からの電力を脱着可能なモバイルコンセントに供給する。電力供給ゲート装置は、モバイルコンセントに電力を供給するか否かに応じて開閉する開閉器と、装着されたモバイルコンセントと信号の入出力を行なうための入出力手段と、開閉器および入出力手段に接続され、入手した前記開閉器をＯＮにするためのキーコードに基づいて、開閉器の開閉を制御するための制御手段と、電力供袷ゲート装置を識別するための電力供給ゲート装置の識別情報、キーコード、およびキーコードの送信を要求するキーコード要求信号を記憶するための識別情報記憶手段と、モバイルコンセントが接続されているか否かを検出するための接続検出センサと、を含む。
制御手段は、モバイルコンセントからの識別情報要求信号を受信したことに応じて、識別情報記憶手段より、電力供給ゲート装置の識別情報を読出しモバイルコンセントに出力する。識別情報記憶手段に予め記憶されたキーコードと入出力手段により入手されたキーコードとが一致した場合に、開閉器をＯＮにし、モバイルコンセントに電力線からの電力を供給し、開閉器がＯＮされたことを伝える信号をモバイルコンセントに出力する。識別情報記憶手段に予め記憶されたキーコードと入出力手段により入手されたキーコードとが不一致の場合に、再度のキーコードの送信を要求するために、識別情報記憶手段より、電力供給ゲート装置の識別情報およびキーコード要求信号を読出しモバイルコンセントに出力する。モバイルコンセントとの接続が解除された場合には、開閉器をＯＦＦにする。
【００２７】
モバイルコンセントから入手したキーコードに基づいて、電力をモバイルコンセントに供給するか否かが決定される。
【００２９】
キーコードを比較することにより、接続されたモバイルコンセントが電力を利用できるか否か判断される。このため、不正に電力が使用されるのを防ぐことができる。
【００３３】
本発明のさらに他の局面に従うサーバ装置は、電力供給ゲート装置に装着されたモバイルコンセントとの間で情報を送受信する。電力供給ゲート装置は、電力線から電力が供給され、開閉器を有し、サーバ装置は、電力供給ゲート装置の識別情報毎に、開閉器をＯＮにするためのキーコードを記憶するための第１記憶手段と、モバイルコンセントから、電力供給ゲート装置を識別するための識別情報を受信するための受信手段と、受信手段により受信された電力供給ゲート装置の識別情報に基づき、第１記憶手段に記憶されているキーコードを抽出するための抽出手段と、抽出手段より抽出されたキーコードをモバイルコンセントに送信するための送信手段とを含む。
【００３４】
モバイルコンセントより受信した電力供給ゲート装置の識別番号に対応するキーコードをモバイルコンセントに送信する。これにより、モバイルコンセント側では、電力の使用が可能となる。
【００３５】
好ましくは、サーバ装置は、さらに、モバイルコンセントを識別するためのモバイルコンセントの識別情報毎に、給電料金を記憶するための第２記憶手段を含む。
【００３６】
モバイルコンセント毎に給電料金が記憶される。このため、利用者は現金を持ち合わせていなくても電力を利用することができる。
【００３７】
さらに好ましくは、サーバ装置は、さらに、モバイルコンセントから電力給電量を受信し、電力給電量に基づいて給電料金を算出し、第２記憶手段に書込むための給電料金算出手段を含む。
【００３８】
さらに好ましくは、サーバ装置は、さらに、給電料金算出手段に接続され、第２記憶手段に記憶された給電料金をモバイルコンセントに送信するための給電料金送信手段を含む。
【００３９】
利用者は、現在、どのくらいの電力を消費しているのかが分かるようになる。
さらに好ましくは、第１記憶手段は、さらに、電力供給ゲート装置の設置場所の情報を記憶し、サーバ装置は、さらに、電力供給ゲート装置の利用が不可能である場合には、モバイルコンセントが利用不可能であることを表す利用不可能信号をモバイルコンセントから受信するための利用不可能信号受信手段と、第１記憶手段および利用不可能信号受信手段に接続され、利用不可能信号に応答して、第１記憶手段に故障情報を記憶するための手段とを含む。
【００４０】
どの電力供給ゲート装置が故障したかをすぐに知ることができ、迅速に電力供給ゲート装置の修理を行なうことができる。
【００４１】
さらに好ましくは、サーバ装置は、さらに、電力供給ゲート装置の利用終了時に、モバイルコンセントより利用終了通知信号を受信する利用終了通知信号受信手段と、利用終了通知信号受信手段に接続され、利用終了通知信号に応答して、第１記憶手段に、電力供給ゲート装置の利用回数を記憶するための手段とを含む。
【００４２】
さらに好ましくは、サーバ装置は、さらに、電力供給ゲート装置の利用終了時に、モバイルコンセントより利用終了通知信号および電力給電量を受信するための利用終了通知信号受信手段と、利用終了通知信号受信手段に接続され、電力給電量に基づいて給電料金を算出し、第２記憶手段に書込むための給電料金算出手段とを含む。
【００４３】
本発明のさらに他の局面に従う電力利用管理システムは、電力線から電力の供給を受け、キーコードに基づいて電力の供給を制御する電力供給ゲート装置と、電力供給ゲート装置を識別するための識別情報に対応したキーコードを送信するサーバ装置と、電力供給ゲート装置に着脱可能であり、電力供給ゲート装置から識別情報を受け、識別情報に対応したキーコードをサーバ装置より受け、キーコードを電力供給ゲート装置に与えるモバイルコンセントとを含む。
【００４４】
モバイルコンセントは、装着した電力供給ゲート装置の識別情報に対応したキーコードをサーバ装置より得て、そのキーコードを電力供給ゲート装置に供給する。電力供給ゲート装置は、キーコードに基づいて、電力を供給するか否かの決定を行なう。これにより、利用者は、簡単に電力を使用できるようになる。
【００４５】
【発明の実施の形態】
本実施の形態では、電気自動車の電力を充電する場合に例にして説明する。
【００４６】
＜システム全体の構成＞
図１および図２を参照して、電力利用管理システムは、発電所（電力供給源）４４と、電力供給源４４で作った電力を伝える電力線４７と、電力線４７に接続され、電力量を制御する電力供給ゲート装置４１と、電力使用時に電力供給ゲート装置４１と、電力線４７および通信線４８を介して接続され、持ち運び可能なモバイルコンセント４２と、無線などの通信線４９を介してモバイルコンセント４２に接続され、電力の使用状況や課金情報を管理する電力会社のサーバシステム４５とを含む。モバイルコンセント４２には、電気自動車などの電力利用機器が接続され、電気自動車に電力が供給される。
【００４７】
電力会社４６は、電力供給源４４およびサーバシステム４５で構成される。
通信線４８は、電力供給ゲート装置４１とモバイルコンセント４２との間で電力を使用するための信号を送受信する。
【００４８】
通信線４９は、モバイルコンセント４２とサーバシステム４５との間で電力使用情報等の送受信をする。通信線４９は、無線であってもよいし、電話線、電力線または光ファイバーなどの双方向通信が可能な有線であってもよい。
【００４９】
＜モバイルコンセント＞
図３を参照して、モバイルコンセント４２は、アンテナ２と、アンテナ２に接続され、電力会社４６との間で無線通信をするための無線通信部３と、各種情報を記憶するための記憶装置４と、電力線４７および通信線４８を介して電力供給ゲート装置４１に接続され、モバイルコンセント４２と電力供給ゲート装置４１との間で電力および信号を受け渡しするためのインターフェース回路１１と、インターフェース回路１１に接続され、電気自動車４３がどれだけ電力を利用したかを測定するための電力使用量積算計１３と、電力使用量積算計１３に接続され、電気自動車４３に電力を供給するためのコンセント１５とを含む。
【００５０】
モバイルコンセント４２は、さらに、モバイルコンセント４２の各構成部品を駆動するための電力を蓄えるバッテリ１４と、モバイルコンセント４２が電力供給ゲート装置４１に接続されたことを検出するセンサ１０と、モバイルコンセント４２の利用の可否、モバイルコンセントの利用時間、電力使用量などの情報を表示する表示部６と、無線通信部３、記憶装置４、表示部６、センサ１０、インターフェース回路１１および電力使用量積算計１３に接続され、各要素を総合的に制御する制御装置９とを含む。
【００５１】
記憶装置４は、モバイルコンセント４２のＩＤコードと、電力供給ゲート装置４１を利用するために必要な電力供給ゲート装置４１のＩＤ要求信号と、電力供給ゲート装置４１を利用するために必要な電力供給ゲート装置４１のキーコード要求信号と、電力供給ゲート装置４１のキーコードがモバイルコンセント４２から送られてきたコードと一致せず、電力供給ゲート装置４１のキーコードを電力会社４６へ要求しなおした回数であるリトライ回数の規定値（上限値）と、電力供給ゲート装置４１が利用できない場合に電力会社４６へ送る電力併給ゲート装置利用不可信号と、電力の使用が終わったことを電力会社４６へ知らせる利用終了通知信号とを記憶する。
【００５２】
また、記憶装置４は、電力供給ゲート装置４１のＩＤコードと、電力供給ゲート装置４１のキーコードがモバイルコンセント４２から送られてきたコードと一致せず電力供給ゲート装置４１のキーコードを電力会社４６へ要求しなおす場合に電力供給ゲート装置４１から送られてくる電力供給ゲート装置４１のキーコード要求信号と、電力供給ゲート装置４１のキーコードがモバイルコンセント４２から送られてきたコードと一致せず電力供給ゲート装置４１のキーコードを電力会社４６へ要求しなおす回数であるリトライ回数とを一時的に記憶する。
【００５３】
なお、モバイルコンセント４２は、電力会社４６と有線で通信を行なってもよい。この場合には、無線通信部３の代わりに有線通信部が使用される。
【００５４】
＜電力供給ゲート装置＞
図４を参照して、電力供給ゲート装置４１は、電力線４７に接続され電力会社４６から送電された電力をモバイルコンセント４２に送ることを制限するための開閉器２２と、電力供給ゲート装置４１とモバイルコンセント４２との間で制御信号および電力を受け渡しするためのインターフェース回路２３と、電力供給ゲート装置４１にモバイルコンセント４２が接続されていることを検出するためのセンサ（接続検出センサ）２７とを含む。
【００５５】
電力供給ゲート装置４１は、さらに、電力供給ゲート装置４１に固有のＩＤコードと、電力を使用するために開閉器２２をＯＮにするためのキーコードと、電力を使用するために開閉器２２をＯＮにするためのキーコードを要求するキーコード要求信号と、開閉器２２がＯＮになったことを示す利用開始通知信号とを記憶する記憶装置２５と、開閉器２２、インターフェース回路２３、記憶装置２５および接続検出センサ２７に接続され、各要素を総合制御するための制御装置２４とを含む。
【００５６】
＜電力会社４６のサーバシステム４５＞
図５を参照して、電力会社４６のサーバシステム４５は、電力供給ゲート装置に関する情報を記憶する記憶装置３４と、モバイルコンセントに関する情報を記憶する記憶装置３５と、アンテナ３６と、アンテナ３６に接続され、電力会社４６のサーバシステム４５とモバイルコンセント４２との間で通信を行う無線通信部３２と、電力供給ゲート装置４１の利用時間を管理するための時計３７と、無線通信部３２、記憶装置３４および記憶装置３５に接続され、各要素を総合的に制御するための制御部３１とを含む。
【００５７】
なお、モバイルコンセントとの間の通信は有線で行なってもよい。その場合には、無線通信部３２の代わりに有線通信部が用いられる。
【００５８】
図６を参照して、記憶装置３４には、電力供給ゲート装置４１に固有のＩＤコード情報と、電力供給ゲート装置４１の開閉器２２を制御するための各電力供給ゲート装置４１に対応したキーコード情報と、電力供給ゲート装置４１の設覆されている場所を知るための設置場所と、電力供給ゲート装置４１を利用したモバイルコンセント４２のＩＤ情報と、利用者が電力供給ゲート装置４１を利用し始めた時間を示す利用開始時間と、利用者が電力供給ゲート装置４１の利用を終了した時間を示す利用終了時間と、利用者がその電力供給ゲート装置４１からどれだけ電力を使用したかを示す電力使用量と、電力供給ゲート装置４１の故障記録を知るための故障情報と、モバイルコンセント４２が電力供給ゲート装置４１を何回使用したかを示す利用回数情報とを記憶している。
【００５９】
なお、ＩＤコード情報、キーコード情報および設置場所は、電力会社４６が電力供給ゲート装置４１を設置する際に、予め電力管理会社が登録する。
【００６０】
図７を参照して、記憶装置３５は、モバイルコンセント４２に固有のＩＤコード情報と、モバイルコンセント４２に対応したユーザー情報（利用者住所、氏名、連絡先等の情報）と、利用者が電力供給ゲート装置４１の利用を開始した時のモバイルコンセント４２の電力使用量積算計１３の値と、電力供給ゲート装置４１の利用開始時間と、利用者が電力供給ゲート装置４１の利用を終了した時のモバイルコンセント４２の電力使用量積算計１３の値と、電力供給ゲート装置４１の利用終了時間と、利用者が利用した電力供給ゲート装置４１のＩＤコードと、その時利用者が使用した電力使用量と、その電力使用量に相当する電力使用料金と、電力会社４６が使用料を利用者から徴集するための利用者の引き落とし先口座情報とを記憶する。
【００６１】
なお、ＩＤコード情報、ユーザ情報および利用者の料金引き落とし先口座情報は、ユーザーによる当システム利用手続きの際に予め電力管理会社が登録する。
【００６２】
電力会社４６の管理者は、電力供給ゲート装置４１の故障情報から故障を知ると、電力供給ゲート装置４１の設置情報から故障した電力供給ゲート装置４１の設置場所を割出す。その後、電力会社４６の管理者またはメンテナンス業者が、故障した電力供給ゲート装置４１を修理する。
【００６３】
図８〜図１１を参照して、電力利用管理システムの動作について説明する。
図８を参照して、電気自動車４３の電力を充電したい時、電力使用者はまずモバイルコンセント４２を電力供給ゲート装置４１のインターフェース回路２３に装着する（Ｓ２）。
【００６４】
モバイルコンセント４２のセンサ１０は、モバイルコンセント４２が電力供給ゲート装置４１に接続されたかどうかを検出する。検出信号は制御装置９に入力される。制御装置９は検出信号を検知すると記憶装置４に記憶されている電力供給ゲート装置４１のＩＤコード要求信号を読み取り、この要求信号をインターフェース回路１１を通して電力供給ゲート装置４１へ送る（Ｓ４）。
【００６５】
電力供給ゲート装置４１は、通信線４８およびインターフェース回路２３を通し、モバイルコンセント４２から電力供給ゲート装置４１のＩＤ要求信号を受信する（Ｓ６）。ＩＤ要求信号は、制御装置２４に入力される。制御装置２４は記憶装置２５に記憶されている電力供給ゲート装置４１のＩＤコードを読み出し、モバイルコンセント４２とのインターフェース回路２３、モバイルコンセント４２との通信線４８を通してモバイルコンセント４２へそのコードを送信する（Ｓ８）。
【００６６】
電力供給ゲート装置４１から電力供給ゲート装置４１のＩＤコードを含む信号が、モバイルコンセント４２のインターフェース回路１１に入力されると（Ｓ１０）、その信号は制御装置９へ伝えられる。制御装置９は、この信号に応答して、記憶装置４に記憶されているモバイルコンセント４２のＩＤコードと開閉器２２をＯＮするための電力供給ゲート装置４１のキーコード要求信号とを読取る。制御装置９は電力供給ゲート装置４１のＩＤコードとモバイルコンセントのＩＤコードと開閉器２２をＯＮするための電力供給ゲート装置４１のキーコード要求信号とを無線通信部３に伝える。無線通信部３は、制御装置９から受け取った信号を電波に変換し、アンテナ２より発射する。アンテナ２より発射された信号は電力会社へ伝えられる（Ｓ１２）。
【００６７】
電力会社４６のサーバシステム４５は、通信部３２にて、モバイルコンセント４２から電力供給ゲート装置４１のＩＤコードと、モバイルコンセント４２のＩＤコードと、電力供給ゲート装置４１の開閉器２２をＯＮするためのキーコード要求信号とを受信すると（Ｓ１４）、その信号を制御部３１に伝える。制御部３１は、電力供給ゲート装置４１に関する情報を記憶している記憶装置３４から、電力供給ゲート装置４１のｌＤコードに対応した電力供給ゲート装置４１の開閉器２２をＯＮにするためのキーコードを読出し、通信部３２へ伝える（Ｓ１６）。通信部３２はこのキーコードをモバイルコンセント４２へ返信する（Ｓ１８）。
【００６８】
モバイルコンセント４２の無線通信部３が、電力会社４６から電力供給ゲート装置４１のキーコードを含む信号を受信すると、無線通信部３はその信号を電気信号に変換し制御装置９へ伝える（Ｓ２０）。制御装置９は、受け取った電力供給ゲート装置４１のキーコード信号を、インターフェース回路１１を通して電力供給ゲート装置４１へ送る（Ｓ２２）。
【００６９】
電力供給ゲート装置４１のインターフェース回路２３は、通信線４８およびインターフェース回路２３を通しモバイルコンセント４２から電力供給ゲート装置４１の開閉器２２をＯＮにするキーコードを受信すると、その信号を制御装置２４に入力する（Ｓ２４）。制御装置２４は、記憶装置２５に記憶されている電力供給ゲート装置４１のキーコードを読み出し、モバイルコンセント４２から送られてきたキーコードと比較する（Ｓ２６）。比鞍結果が異なる場合には（Ｓ２６でＮＯ）、後述する図１０以降のリトライ処理を実行する。比較結果が同じ場合には（Ｓ２６でＹＥＳ）、制御装置２４は、開閉器２２をＯＮにする信号を開閉器２２へ送信し、開閉器２２はその信号に応答してＯＮになる（Ｓ２８）。また、制御装置２４は、開閉器２２がＯＮになったことを伝える信号（利用開始通知信号）を、インターフェース回路２３および通信線４８を通してモバイルコンセント４２ヘ伝える。またこの時、モバイルコンセント４２とのインターフェース回路２３には電力も出力されている（Ｓ３０）。
【００７０】
図９を参照して、モバイルコンセント４２のインターフェース回路１１が、電力供給ゲート装置４１から利用開始通知信号を受信すると、その信号は制御装置９へ伝えられる（Ｓ３２）。制御装置９は、この信号が入力されると、記憶装置４に記憶されているモバイルコンセント４２のＩＤコードと、電力使用量積算計１３の指示値とを読み取る。制御装置９は、利用開始通知信号と、モバイルコンセント４２のＩＤコードと、電力使用量積算計１３の指示値とを無線通信部３に伝える。無線通信部３は、制御装置９から受け取った信号を電波に変換し、アンテナ２より発射する。アンテナ２より発射された信号は電力会社４６へ伝えられる（Ｓ３４）。
【００７１】
また、制御装置９に利用開始通知信号が入力されると、制御装置９は表示部６に電力が利用可能になったことを表示する（Ｓ３６）。それと同じに、制御装置９は、記憶装置４に記憶されているリトライ回数の値を０にリセットし（Ｓ３８）、電力使用量積算計１３は、電力使用量を積算する（Ｓ４０）。コンセント１５に外部機器（電気自動車４３の充電プラグ等）を接続し（Ｓ４２）、外部機器の電源をＯＮすることによって、電力の使用が可能となる（Ｓ４４）。
【００７２】
一方、Ｓ３４の処理の後、電力会社４６のサーバシステム４５の通信部３２は、モバイルコンセント４２から送信されたモバイルコンセント４２のＩＤコードと、モバイルコンセント４２に内蔵された電力使用量積算計の値と、利用開始通知信号とを受信し、制御部３１に伝える（Ｓ４６）。制御部３１は、モバイルコンセント４２に関する情報を記憶している記憶装置３５内の対応するモバイルコンセント４２の項に、モバイルコンセント４２に内蔵された電力使用量積算計１３の値を記憶する。また、制御部３１は時計３７の指示時刻を読み取り、その時刻を電力供給ゲート装置４１の利用開始時間として、記憶装置３５に記憶する。
【００７３】
さらに、制御部３１は、記憶装置３５内の対応するモバイルコンセント４２の項に、利用する電力供給ゲート装置４１のＩＤコードを記録する（Ｓ４８）。また、制御部３１は、電力供給ゲート装置４１に関する情報を記憶している記憶装置３４内の対応する電力供給ゲート装置４１の項に受信したモバイルコンセント４２のＩＤコードと利用開始時間とを記録する（Ｓ５０）。
【００７４】
再度図８を参照して、記憶装置２５に記憶されている電力供給ゲート装置４１のキーコードと、モバイルコンセント４２から送られてきたキーコードとが一致しなければ（Ｓ２６でＮＯ）、リトライ処理を行なう。
【００７５】
図１０を参照して、リトライ処理について説明する。
電力供給ゲート装置４１の制御装置２４は、記憶装置２５に記憶されている電力供給ゲート装置４１のキーコード要求信号と電力供給ゲート装置４１のＩＤコードとを読出し、インターフェース回路２３および通信線４８を介して、モバイルコンセント４２へ伝える（Ｓ５２）。
【００７６】
モバイルコンセント４２のインターフェース回路１１は、電力供給ゲート装置４１のキーコード要求信号と電力供給ゲート装置４１のＩＤコードとを受信すると、それらの情報を制御装置９へ伝える（Ｓ５４）。制御装置９は、それらの情報を一時的に記憶装置４に記憶する。制御装置９は、リトライ回数が記憶装置４に記憶している規定回数を越えたかどうかの判定を行う（Ｓ５６）。すなわち、制御装置９は記憶装置４に記憶されているリトライ回数に１を加算してリトライ回数を更新し、記憶装置４に記憶しなおした後、その値と、同じく記憶装置４に記憶されているリトライ回数の上限値とを比較する。
【００７７】
リトライ回数がリトライ回数の上限値以上になった場合には（Ｓ５６でＹＥＳ）、電力を使用することができないため、図１１に示す後述の処理を実行する。
【００７８】
リトライ回数の方が上限値よりも小さい場合には（Ｓ５６でＮＯ）、制御装置９は先に記憶装置４に記憶した電力供給ゲート装置４１のキーコード要求信号と、モバイルコンセント４２のＩＤコードと、電力供給ゲート装置４１のＩＤコードとを無線通信部３に伝える。無線通信部３は制御装置９から受け取った信号を電波に変換し、アンテナ２より発射する。アンテナ２より発射された信号は電力会社４６へ伝えられる（Ｓ５８）。
【００７９】
サーバシステム４５の通信部３２は、モバイルコンセント４２から、モバイルコンセント４２のＩＤコードと、電力供給ゲート装置４１のＩＤコードと、電力供給ゲート装置４１のキーコード要求信号とを受信し、それらの信号を制御部３１へ伝える（Ｓ６０）。制御部３１は、電力供給ゲート装置４１に関する情報を記憶している記憶装置３４から、電力供給ゲート装置４１のＩＤコードに対応した電力供給ゲート装置４１の開閉器２２をＯＮにするためのキーコードを読み出し、通信部３２へ伝える（Ｓ６２）。通信部３２はこのキーコードをモバイルコンセント４２へ返信する（Ｓ６４）。その後、図８のＳ２０以降に示した、モバイルコンセント４２が電力会社４６のサーバシステム４５から電力供給ゲート装置４１のキーコードを受信した場合と同じ処理を実行する。
【００８０】
リトライ回数がリトライ回数の上限値以上になった場合には（Ｓ５６でＹＥＳ）、図１１を参照して、モバイルコンセント４２が電力供給ゲート装置４１を使用できないと判断した場合の処理を行なう。すなわち、モバイルコンセント４２の制御装置９は、先に記憶装置４に一時記憶された電力供給ゲート装置４１のＩＤコードと、記憶装置４に予め記憶されている電力供給ゲート装置４１利用不可信号と、記憶装置４に記憶されているモバイルコンセント４２のＩＤコードとを無線通信部３に伝える。無線通信部３は制御装置９から受け取った信号を電波に変換し、アンテナ２より発射する。アンテナ２より発射された信号は電力会社４６へ伝えられる（Ｓ６６）。また、制御装置９は表示部６に電力供給ゲート装置４１が利用不可能であることを表示し（Ｓ６８）、電力供給ゲート装置４１の利用を終了する。
【００８１】
電力会社４６のサーバシステム４５の通信部３２は、電力供給ゲート装置４１のＩＤコードと、電力供給ゲート装置４１が利用不可能であることを通知するための信号と、モバイルコンセント４２のＩＤコード信号とを受信し、制御部３１に伝える（Ｓ７０）。制御部３１は電力供給ゲート装置４１に関する情報を記憶している記憶装置３４の故障情報に、故障があったことを記録する（Ｓ７２）。電力会社４６の管理者はシステムのメンテナンス時などに故障情報をチェックし修理を実行する（Ｓ７４）。
【００８２】
図１２を参照して、電気自動車４３などの外部機器の電力使用が終わり、モバイルコンセント４２が電力供給ゲート装置４１からはずされた場合の処理について説明する。
【００８３】
利用者は、電力使用が終わると外部機器の電源をＯＦＦにし（Ｓ８２）、モバイルコンセント４２を電力供給ゲート装置４１からはずす（Ｓ８４）。モバイルコンセント４２が電力供給ゲート装置４１からはずされると、電力供給ゲート装置４１のセンサ１０より、モバイルコンセント４２が電力供給ゲート装置４１からはずれたことを示す信号が制御装置９へ伝えられる。制御装置９は、この信号に応答して、電力使用量積算計１３の積算値と、記憶装置４に記憶されたモバイルコンセント４２のＩＤコードと、記憶装置４に予め記憶されている利用終了通知信号とを無線通信部３に伝える。無線通信部３は制御装置９から受け取った信号を電波に変換し、アンテナ２より発射する。アンテナ２より発射された信号は、電力会社４６へ伝えられる（Ｓ８６）。
【００８４】
Ｓ８４の処理の後、モバイルコンセント４２から電力供給ゲート装置４１がはずされると、電力供給ゲート装置４１に内蔵の接続検出センサ２７から制御装置２４へ電力供給ゲート装置４１がはずれたことを示す信号が伝えられる（Ｓ８８）。制御装置２４はこの信号を受信すると、開閉器２２をＯＦＦにする（Ｓ９０）。これによりインターフェース回路２３への電力の伝送が絶たれる。
【００８５】
一方、Ｓ８６の処理の後、電力会社４６のサーバシステム４５の通信部３２は、モバイルコンセント４２のＩＤコードと、モバイルコンセント４２に内蔵された電力使用量積算計の値と、利用終了通知信号とを受信し、制御部３１に伝える（Ｓ９２）。
【００８６】
制御部３１は、時計３７の指示時刻を読み取り、その時刻を電力供給ゲート装置４１の利用終了時間として、記憶装置３５に記憶し、記憶装置３５に記憶されている電力供給ゲート装置４１の利用回数を１つ増やす。また、記憶装置３５に、利用終了時のモバイルコンセント４２に内蔵された電力使用量積算計の値を記録する（Ｓ９４）。
【００８７】
制御部３１は、電力供給ゲート装置４１の利用開始時のモバイルコンセント４２に内蔵された電力使用量積算計１３の値から電力供給ゲート装置４１の利用終了時のモバイルコンセント４２に内蔵された電力使用量積算計１３の値を差し引くことによって、今回の電力使用量を求め、求めた電力使用量を、記憶装置３５のモバイルコンセント４２の電力使用量の項と、利用していた電力供給ゲート装置４１の電力使用量の項に記録する（Ｓ９６）。また、制御部３１は、求めた電力使用量から電力使用料を求め（Ｓ９８）、その使用料を記憶装置３５の該当するモバイルコンセント４２における電力使用料金の項に記録する（Ｓ１００）。
【００８８】
制御部３１は、記憶装置３４の該当する電力供給ゲート装置４１の利用終了時間の項に、利用終了通知信号を受信した時間を記録する（Ｓ１０２）。制御部３１は、今回の電力使用料金と使用量とを通信部３２へ伝える。通信部３２は使用量と電力使用料金とをモバイルコンセント４２へ返信する（Ｓ１０４）。
【００８９】
モバイルコンセント４２の無線通信部３は、電力会社４６から送信された電力使用量および使用料信号をアンテナ２を通じて受信すると、その信号は無線通信部３に入力される（Ｓ１０６）。無線通信部３は、その信号を電気信号に変換し制御装置９へ伝える。制御装置９は、受け取った電力使用量および使用料を表示部６に表示し（Ｓ１０８）、利用者は、システムの利用を終了する。
【００９０】
図１３を参照して、電力利用管理システムにおいて、通信線および電力線の代わりに、信号も伝送することができる電力線６７を用いてもよい。すなわち、モバイルコンセント４２および電力供給ゲート装置４１の間、電力供給ゲート装置４１および電力供給源４４の間、ならびに電力供給ゲート装置４１およびサーバシステム４５の間が電力線６７を用いて接続される。
【００９１】
上記説明では、無線通信部３、電力使用量積算計１３およびコンセント１５がモバイルコンセント４２内に設けられていたが、これらは電力供給ゲート装置４１内に設けられていてもよい。
【００９２】
また、一定時間間隔で、モバイルコンセント４２のＩＤコードとモバイルコンセント４２に内蔵された電力使用量積算計１３の指示値とを電力会社４６へ送信するようにしてもよい。この場合、規定時間内に電力会社４６へ上記信号が伝送されなかった場合には、電力会社４６は、モバイルコンセント４２に故樟があったと判断し、電力会社４６が最後に受信したモバイルコンセント４２に内蔵された電力使用量積算計１３の値を用いて電力使用料が求められる。
【００９３】
また、電力使用量積算計１３を用いず、モバイルコンセント４２の利用料を月々定額としてもよい。
【００９４】
また、電気自動車４３以外の電気利用製品をモバイルコンセント４２に接続するようにしてもよいのは言うまでもない。
【００９５】
以上説明したように、電力供給ゲート装置４１は簡単な構造であり電力線４７のあるところにはどこにでも設置することができる。そのため、電力基幹線に近いところにも設置することができ、利用者は大きな電力を利用することができる。また、電力供給ゲート装置４１は容易に設置できるため、設置箇所を増やすことができる。このため、電気自動車４３のバッテリを小さくでき、それによって充電時間を短くすることができる。それとともに車両の軽量化とコストダウンが可能となり、電気自動車４３の普及を促進することができる。
【００９６】
電力供給ゲート装置４１は、ＡＣコンセントのように外部に出ているものである。このため、電力販売ロッカーのようにロッカーを閉めていないと電力が利用できないという問題や、ロッカーに入るものでないと利用できないという問題がなくなり、電気自動車４３等の充電に利用できる。
【００９７】
無線通信部３は、利用情報を電力会社４６へ伝送する。このため、現金を持ち合わせていなくても電力を利用することができる。
【００９８】
また、ガソリン機関等を用いた発電機のように燃料を必要としないため、騒音や廃棄ガスの問題がない。
【００９９】
さらに、電力供給ゲート装置４１の設置場所とモバイルコンセント４２の利用状況から地域ごと、時間ごとの電力利用状況が把握でき、需給バランスのとれた電力供給ラインを構築することができる。
【０１００】
また、電力会社４６の管理者は電力供給ゲート装置４１の利用履歴情報から利用頻度を知ることができる。一例として、夏期は海水洛場近辺の電力供給ゲート装置４１の利用が多く、スキー場近辺の電力供給ゲート装置４１の利用は少ない。一方、冬期はスキー場近辺の電力供給ゲート装置４１の利用が多く、海水浴場近辺の電力供給ゲート装置４１の利用は少ない。管理者はこのような情報を把握することにより、夏期はスキー場近辺の電力供給ゲート装置４１を海水船場近辺に設置し、冬期は海水浴場近辺の電力供給ゲート装置４１をスキー場近辺に設置することで、電力供給ゲート装置４１を少ない台数で効率良く利用することが可能となる。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０２】
【発明の効果】
配電を効率的に行なうことができる。
【図面の簡単な説明】
【図１】  電力利用管理システムの外観図である。
【図２】  電力利用管理システムのハードウェア構成を示すブロック図である。
【図３】  モバイルコンセントのハードウェア構成を示すブロック図である。
【図４】  電力供給ゲート装置のハードウェア構成を示すブロック図である。
【図５】  サーバシステムのハードウェア構成を示すブロック図である。
【図６】  記憶装置に記憶された電力供給ゲート装置に関する情報を示す図である。
【図７】  記憶装置に記憶されたモバイルコンセントに関する情報を示す図である。
【図８】  電力利用管理システムの動作のフローチャートである。
【図９】  電力利用管理システムの動作のフローチャートである。
【図１０】  電力利用管理システムの動作のフローチャートである。
【図１１】  電力利用管理システムの動作のフローチャートである。
【図１２】  電力利用管理システムの動作のフローチャートである。
【図１３】  電力利用管理システムのハードウェア構成を示すブロック図である。
【符号の説明】
２，３６  アンテナ、３  無線通信部、３２  無線通信部、４  記憶装置、２５  記憶装置、３４，３５  記憶装置、６  表示部、９，２４  制御装置、１０，４７，６７  電力線、１１  インターフェース回路、１３  電力使用量積算計、１４  バッテリ、１５  コンセント、２２  開閉器、２３  インターフェース回路、２７  接続検出センサ、３１  制御部、３２  通信部、３７  時計、４１電力供給ゲート装置、４２  モバイルコンセント、４３  電気自動車、４４  電力供給源、４５  サーバシステム、４６  電力会社、４８，４９  通信線。
【図１】
0003717420.tif 000002
【図２】
0003717420.tif 000003
【図３】
0003717420.tif 000004
【図４】
0003717420.tif 000005
【図５】
0003717420.tif 000006
【図６】
0003717420.tif 000007
【図７】
0003717420.tif 000008
【図８】
0003717420.tif 000009
【図９】
0003717420.tif 000010
【図１０】
0003717420.tif 000011
【図１１】
0003717420.tif 000012
【図１２】
0003717420.tif 000013
【図１３】
0003717420.tif 000014